(57)【要約】【課題】モバイル広告において、事前の登録をすることなく嗜好に合った広告を表示し、無線リソースを効率的に利用する通信端末及び広告配信システムを提供する。【解決手段】ユーザ端末１０は、ユーザの嗜好情報を蓄積する嗜好情報蓄積部１３と、複数のユーザ端末へ、複数の広告データを同時に配信する広告配信装置３０から、当該複数の広告データを受信する通信部１１と、嗜好情報に応じて、受信した複数の広告データから表示する広告データを選択し、当該選択した広告データを表示する選択表示部１４とを備える。【選択図】図２
2008076906.tif 000002
【特許請求の範囲】
【請求項１】
ユーザの嗜好情報を蓄積する嗜好情報蓄積部と、
複数の通信端末へ、複数の広告データを同時に配信する広告配信装置から、当該複数の広告データを受信する通信部と、
前記嗜好情報に応じて、前記受信した複数の広告データから表示する広告データを選択し、当該選択した広告データを表示する選択表示部と
を備えることを特徴とする通信端末。
【請求項２】
ユーザの嗜好情報を蓄積する嗜好情報蓄積部と、
複数の通信端末へ、複数の広告データを同時に配信する広告配信装置から、当該複数の広告データを送信するチャンネルのリストを受信する通信部と、
前記嗜好情報に応じて、前記受信したリストから受信する広告データを選択し、当該選択した広告データのチャンネルを受信するよう設定する受信設定部と、
前記受信した広告データを表示する表示部と
を備えることを特徴とする通信端末。
【請求項３】
前記表示した広告データの利用状況を収集する情報収集部を更に備え、
前記通信部は、前記広告データの利用状況を、当該通信端末の通信料を管理する課金装置へ送信することを特徴とする請求項１又は２に記載の通信端末。
【請求項４】
ユーザの嗜好情報を蓄積する嗜好情報蓄積部と、複数の通信端末へ、複数の広告データを同時に配信する広告配信装置から、当該複数の広告データを受信する通信部と、前記嗜好情報に応じて、前記受信した複数の広告データから表示する広告データを選択し、当該選択した広告データを表示する選択表示部と、前記表示した広告データの利用状況を収集する情報収集部とを有する通信端末と、
前記通信端末から前記広告データの利用状況を受信する通信部と、前記広告データの利用状況に応じて割引額を算出する割引額算出部と、前記通信端末の通信料から前記割引金額を減算する課金部とを有する課金装置と
を備えることを特徴とする広告配信システム。
【請求項５】
ユーザの嗜好情報を蓄積する嗜好情報蓄積部と、複数の通信端末へ、複数の広告データを同時に配信する広告配信装置から、当該複数の広告データを送信するチャンネルのリストを受信する通信部と、前記嗜好情報に応じて、前記受信したリストから受信する広告データを選択し、当該選択した広告データのチャンネルを受信するよう設定する受信設定部と、前記受信した広告データを表示する表示部と、前記表示した広告データの利用状況を収集する情報収集部とを有する通信端末と、
前記通信端末から前記広告データの利用状況を受信する通信部と、前記広告データの利用状況に応じて割引額を算出する割引額算出部と、前記通信端末の通信料から前記割引金額を減算する課金部とを有する課金装置と
を備えることを特徴とする広告配信システム。
【発明の詳細な説明】
【技術分野】
【０００１】
本発明は、通信端末及び広告配信システムに関する。
【背景技術】
【０００２】
インターネット広告市場は、近年拡大の一途であるが、その中で、携帯電話等のモバイル端末における広告ビジネスが占める割合は、固定型のＰＣの１０％とかなり小さい。しかし、無線通信機能を実装したモバイル端末の普及台数は９０００万台を超えており、その市場の大きさは無視できないことが現状である。
【０００３】
モバイル端末への広告配信には、画面の小ささや限られる無線リソースなど特有の問題があるため、固定型のＰＣのモデルをそのまま持ち込んでも広告ビジネスが成り立ちにくいという問題がある。
【０００４】
そこで、従来、既存のメール機能を利用したモバイル広告が知られている（例えば、非特許文献１参照。）。
【非特許文献１】http://www.cyberconsultant.co.jp/menu/mobile.html
【発明の開示】
【発明が解決しようとする課題】
【０００５】
しかしながら、上述した従来のモバイル広告では、既存のメール機能を使用するため、無線リソースが効率的に利用されておらず、又、嗜好に合った広告をユーザが受信するためには、事前にユーザが好みのコミュニティに属していなくてはならないといった前提が必要になる。
【０００６】
そこで、本発明は、上記の課題に鑑み、モバイル広告において、事前の登録をすることなく嗜好に合った広告を表示し、無線リソースを効率的に利用する通信端末及び広告配信システムを提供することを目的とする。
【課題を解決するための手段】
【０００７】
上記目的を達成するため、本発明の第１の特徴は、（ａ）ユーザの嗜好情報を蓄積する嗜好情報蓄積部と、（ｂ）複数の通信端末へ、複数の広告データを同時に配信する広告配信装置から、当該複数の広告データを受信する通信部と、（ｃ）嗜好情報に応じて、受信した複数の広告データから表示する広告データを選択し、当該選択した広告データを表示する選択表示部とを備える通信端末であることを要旨とする。
【０００８】
第１の特徴に係る通信端末によると、モバイル広告において、事前の登録をすることなく嗜好に合った広告を表示し、無線リソースを効率的に利用することができる。
【０００９】
本発明の第２の特徴は、（ａ）ユーザの嗜好情報を蓄積する嗜好情報蓄積部と、（ｂ）複数の通信端末へ、複数の広告データを同時に配信する広告配信装置から、当該複数の広告データを送信するチャンネルのリストを受信する通信部と、（ｃ）嗜好情報に応じて、受信したリストから受信する広告データを選択し、当該選択した広告データのチャンネルを受信するよう設定する受信設定部と、（ｄ）受信した広告データを表示する表示部とを備える通信端末であることを要旨とする。
【００１０】
第２の特徴に係る通信端末によると、モバイル広告において、事前の登録をすることなく嗜好に合った広告を表示し、無線リソースを効率的に利用することができる。
【００１１】
又、第１及び第２の特徴に係る通信端末は、表示した広告データの利用状況を収集する情報収集部を更に備え、通信部は、広告データの利用状況を、当該通信端末の通信料を管理する課金装置へ送信してもよい。
【００１２】
この通信端末によると、広告データの利用状況に応じて、通信料を制御することができる。
【００１３】
本発明の第３の特徴は、（ａ）ユーザの嗜好情報を蓄積する嗜好情報蓄積部と、複数の通信端末へ、複数の広告データを同時に配信する広告配信装置から、当該複数の広告データを受信する通信部と、嗜好情報に応じて、受信した複数の広告データから表示する広告データを選択し、当該選択した広告データを表示する選択表示部と、表示した広告データの利用状況を収集する情報収集部とを有する通信端末と、（ｂ）通信端末から広告データの利用状況を受信する通信部と、広告データの利用状況に応じて割引額を算出する割引額算出部と、通信端末の通信料から割引金額を減算する課金部とを有する課金装置とを備える広告配信システムであることを要旨とする。
【００１４】
第３の特徴に係る広告配信システムによると、モバイル広告において、事前の登録をすることなく嗜好に合った広告を表示し、無線リソースを効率的に利用することができるとともに、広告データの利用状況に応じて、通信料を制御することができる。
【００１５】
本発明の第４の特徴は、（ａ）ユーザの嗜好情報を蓄積する嗜好情報蓄積部と、複数の通信端末へ、複数の広告データを同時に配信する広告配信装置から、当該複数の広告データを送信するチャンネルのリストを受信する通信部と、嗜好情報に応じて、受信したリストから受信する広告データを選択し、当該選択した広告データのチャンネルを受信するよう設定する受信設定部と、受信した広告データを表示する表示部と、表示した広告データの利用状況を収集する情報収集部とを有する通信端末と、（ｂ）通信端末から広告データの利用状況を受信する通信部と、広告データの利用状況に応じて割引額を算出する割引額算出部と、通信端末の通信料から割引金額を減算する課金部とを有する課金装置とを備える広告配信システムで有ることを要旨とする。
【００１６】
第４の特徴に係る広告配信システムによると、モバイル広告において、事前の登録をすることなく嗜好に合った広告を表示し、無線リソースを効率的に利用することができるとともに、広告データの利用状況に応じて、通信料を制御することができる。
【発明の効果】
【００１７】
本発明によると、モバイル広告において、事前の登録をすることなく嗜好に合った広告を表示し、無線リソースを効率的に利用する通信端末及び広告配信システムを提供することができる。
【発明を実施するための最良の形態】
【００１８】
次に、図面を参照して、本発明の実施の形態を説明する。以下の図面の記載において、同一又は類似の部分には、同一又は類似の符号を付している。ただし、図面は模式的なものであることに留意すべきである。
【００１９】
＜第１の実施形態＞
（広告配信システム）
第１の実施形態に係る広告配信システムは、図１に示すように、複数のユーザ端末（通信端末）と、マッチング装置と、広告配信装置と、課金装置とから構成される。ユーザ端末としては、例えば、携帯電話等の移動端末やノートＰＣなどが挙げられ、移動可能なモバイル端末である。マッチング装置は、ユーザ端末を有するユーザの嗜好情報を解析し、定期的にユーザ端末へ配信する。尚、マッチング装置は、ユーザ端末に実装することも可能である。広告配信装置は、複数のユーザ端末（図１では、ユーザ端末Ａ、Ｂ、Ｃ）へ、複数の広告データ（図１では、広告Ａ、Ｂ、Ｃ）を同時に配信する。
【００２０】
ユーザ端末は、それぞれ各ユーザの嗜好情報を保持し、広告配信装置から受信した広告データの中で、各ユーザの嗜好に応じた広告を表示する。このため、ユーザ端末は、複数の広告データを受信するが、表示される広告データは、各ユーザ端末で異なる場合もある。図１では、ユーザ端末Ａが広告Ａを表示し、ユーザ端末Ｂが広告Ｂを表示し、ユーザ端末Ｃが広告Ｃを表示している。そして、各ユーザ端末は、広告の利用状況（例えば、表示回数）をカウントし、このカウント回数を課金装置へ送信する。課金装置は、ユーザ端末の通信料を管理するサーバであり、広告の利用状況に応じた通信料の割引を実施する。
【００２１】
ユーザ端末１０は、図２に示すように、通信部１１と端末操作履歴蓄積部１２と嗜好情報蓄積部１３と選択表示部１４と情報収集部１５とを備える。
【００２２】
通信部１１は、マッチング装置２０、広告配信装置３０や課金装置４０と通信を行う。又、通信部１１は、広告配信装置３０から複数の広告データを受信する。又、通信部１１は、端末操作履歴蓄積部１２に蓄積された操作履歴をマッチング装置２０へ送信し、マッチング装置２０からユーザの嗜好情報を受信する。又、通信部１１は、情報収集部１５によって収集された広告データの利用状況を、課金装置４０へ送信する。
【００２３】
端末操作履歴蓄積部１２は、端末の操作履歴を蓄積する。操作履歴としては、例えば、ダウンロードしたコンテンツ、利用したコンテンツ、検索したクエリなどが挙げられる。
【００２４】
嗜好情報蓄積部１３は、マッチング装置２０から受信したユーザの嗜好情報を蓄積する。
【００２５】
選択表示部１４は、嗜好情報に応じて、受信した複数の広告データから表示する広告データを選択し、当該選択した広告データを表示する。このとき、選択表示部１４は、広告データを形態待ち受け画面のテロップとして表示したり、壁紙によるローテーション画面によって表示したりすることができる。
【００２６】
情報収集部１５は、表示した広告データの利用状況を収集する。広告データの利用状況としては、例えば、広告データの表示回数、広告データにＵＲＬ等が含まれている場合にサイトを見た回数、広告データに含まれる商品を購入した回数等が挙げられる。
【００２７】
マッチング装置２０は、通信部２１と嗜好分析部２２とを備える。
【００２８】
通信部２１は、ユーザ端末１０と通信を行い、ユーザ端末１０から端末操作履歴を受信し、ユーザ端末１０へユーザの嗜好情報を送信する。
【００２９】
嗜好分析部２２は、端末操作履歴に基づいて、ユーザの嗜好情報を分析する。
【００３０】
広告配信装置３０は、通信部３１と広告配信条件設定部３２とを備える。
【００３１】
通信部３１は、広告配信条件設定部３２が設定した配信条件に従って、複数のユーザ端末１０へ、複数の広告データを同時に配信する。
【００３２】
広告配信条件設定部３２は、広告を配信する配信条件を設定する。配信条件としては、例えば、配信するエリアや時間帯が挙げられる。
【００３３】
課金装置４０は、通信部４１と割引額算出部４２と課金部４３とを備える。
【００３４】
通信部４１は、ユーザ端末１０から広告データの利用状況を受信する。
【００３５】
割引額算出部４２は、広告データの利用状況に応じて割引額を算出する
課金部４３は、ユーザ端末の通信料から割引金額を減算する。
【００３６】
尚、本実施形態に係るユーザ端末１０、マッチング装置２０、広告配信装置３０、課金装置４０は、それぞれ処理制御装置（ＣＰＵ）を有し、上述した各部の機能をモジュールとして、ＣＰＵによって実行させる構成とすることができる。これらのモジュールは、パーソナルコンピュータ等の汎用コンピュータにおいて、所定のプログラム言語を利用するための専用プログラムを実行することにより実現することができる。
【００３７】
又、図示していないが、本実施形態に係るユーザ端末１０、マッチング装置２０、広告配信装置３０、課金装置４０は、各処理などをＣＰＵに実行させるためのプログラムを蓄積するプログラム保持部を備えてもよい。プログラム保持部は、例えば、ＲＡＭ、ＲＯＭ、ハードディスク、フレキシブルディスク、コンパクトディスク、ＩＣチップ、カセットテープなどの記録媒体である。このような記録媒体によれば、プログラムの蓄積、運搬、販売などを容易に行うことができる。
【００３８】
又、端末操作履歴蓄積部１２や嗜好情報蓄積部１３は、ＨＤなどの外部記憶装置として実現されてもよく、ＲＡＭなどの内部記憶装置として実現されてもよい。
【００３９】
（広告配信方法）
次に、第１の実施形態に係る広告配信方法について、図３を用いて説明する。
【００４０】
まず、ステップＳ１０１において、ユーザ端末は、端末操作履歴を蓄積する。そして、ステップＳ１０２において、定期的にマッチング装置へ端末操作履歴を送信する。
【００４１】
次に、ステップＳ１０３において、マッチング装置は、端末操作履歴に基づいて、ユーザ嗜好解析によって、ユーザの趣味・嗜好を分析する。そして、ステップＳ１０４において、定期的に分析結果（嗜好情報）をユーザ端末へ送信する。次に、ステップＳ１０５において、ユーザ端末は、受信した嗜好情報を蓄積する。
【００４２】
一方、ステップＳ１０６において、広告配信装置は、配信エリアや時間帯等の広告配信条件を設定し、ステップＳ１０７において、広告配信条件に従って、複数のユーザ端末へ広告データを同時に配信する。
【００４３】
そして、ステップＳ１０８において、広告データを受信したユーザ端末は、嗜好情報に基づいて、広告データを選択し、表示する。
【００４４】
次に、ステップＳ１０９において、ユーザ端末は、広告データの表示あるいは利用状況を収集し、ステップＳ１１０において、収集した情報を課金装置へ送信する。
【００４５】
次に、ステップＳ１１１において、課金装置は、広告データの表示あるいは利用状況から割引額を算出する。そして、ステップＳ１１２において、課金装置は、毎月のユーザ端末の通信利用料から割引を実施する。
【００４６】
（作用及び効果）
第１の実施形態に係る広告配信システム及び広告配信方法によると、広告配信装置３０が複数の広告データを不特定多数のユーザ端末に同時に送信するため、無線リソースを効率的に利用することができる。
【００４７】
又、蓄積されているユーザの嗜好情報と広告データをマッチングした後、広告データを表示するため、事前の登録をすることなくユーザの嗜好に合った広告を表示することができる。
【００４８】
又、表示した広告データの利用状況に応じて、通信料を制御することができる。このように、広告の視聴や広告からの購買により、通信料を割り引く仕組みを取り入れることで、ユーザ端末へ広告を表示することのユーザに対するメリットを得ることができる。
【００４９】
又、ユーザ端末に広告データを表示する際、テロップ表示や壁紙によるローテーション画面表示を用いることにより、携帯電話などの小さい画面においても見えやすい広告表示を行うことができる。
【００５０】
又、広告配信装置において、広告データを送信したいエリアや時間帯を指定することが可能であるため、広告主は、広告データを見せたいユーザの特徴を指定することが可能である。又、広告料が高いほど高確率で、ユーザ端末に配信、表示させることとしてもよい。
【００５１】
＜第２の実施形態＞
（広告配信システム）
第２の実施形態に係る広告配信システムは、図４に示すように、複数のユーザ端末（通信端末）と、マッチング装置と、広告配信装置と、課金装置とから構成される。ユーザ端末としては、例えば、携帯電話等の移動端末やノートＰＣなどが挙げられ、移動可能なモバイル端末である。マッチング装置は、ユーザ端末を有するユーザの嗜好情報を解析し、定期的にユーザ端末へ配信する。尚、マッチング装置は、ユーザ端末に実装することも可能である。広告配信装置は、複数のユーザ端末（図１では、ユーザ端末Ａ、Ｂ、Ｃ）へ、複数の広告データを送信するチャンネルのリストを受信する。ここで、チャンネルのリストとは、広告データ別（例えばジャンル別）に予め当該配信地域の全チャンネルの見合いの伝送帯域を、無線上で確保しておき、3GPP（または3GPP2）で規定されているMBS（またはMCBCS）などのマルチキャスト技術によりユーザ端末に配信される全チャンネルのリストを指す。または、ワンセグ地上波によるＴＶチャンネルの仕組みを利用してもよい。
【００５２】
ユーザ端末は、それぞれ各ユーザの嗜好情報を保持し、受信したチャンネルリストから趣味嗜好に適した受信チャネルを設定する。そして、設定したチャンネルのみを受信し、各ユーザの嗜好に応じた広告を表示する。そして、各ユーザ端末は、広告の利用状況（例えば、表示回数）をカウントし、このカウント回数を課金装置へ送信する。課金装置は、ユーザ端末の通信料を管理するサーバであり、広告の利用状況に応じた通信料の割引を実施する。
【００５３】
ユーザ端末１０は、図５に示すように、通信部１１と端末操作履歴蓄積部１２と嗜好情報蓄積部１３と情報収集部１５と受信設定部１６と表示部１７とを備える。
【００５４】
通信部１１は、マッチング装置２０、広告配信装置３０や課金装置４０と通信を行う。又、通信部１１は、広告配信装置３０から複数の広告データを送信するチャンネルのリストを受信する。又、通信部１１は、端末操作履歴蓄積部１２に蓄積された操作履歴をマッチング装置２０へ送信し、マッチング装置２０からユーザの嗜好情報を受信する。又、通信部１１は、情報収集部１５によって収集された広告データの利用状況を、課金装置４０へ送信する。
【００５５】
端末操作履歴蓄積部１２は、端末の操作履歴を蓄積する。操作履歴としては、例えば、ダウンロードしたコンテンツ、利用したコンテンツ、検索したクエリなどが挙げられる。
【００５６】
嗜好情報蓄積部１３は、マッチング装置２０から受信したユーザの嗜好情報を蓄積する。
【００５７】
受信設定部１６は、嗜好情報に応じて、受信したリストから受信する広告データを選択し、当該選択した広告データのチャンネルを受信するよう設定する。
【００５８】
表示部１７は、受信設定部１６によって設定され、受信したチャンネルの広告データを表示する。このとき、表示部１７は、広告データを形態待ち受け画面のテロップとして表示したり、壁紙によるローテーション画面によって表示したりすることができる。
【００５９】
情報収集部１５は、表示した広告データの利用状況を収集する。広告データの利用状況としては、例えば、広告データの表示回数、広告データにＵＲＬ等が含まれている場合にサイトを見た回数、広告データに含まれる商品を購入した回数等が挙げられる。
【００６０】
マッチング装置２０は、通信部２１と嗜好分析部２２とを備える。
【００６１】
通信部２１は、ユーザ端末１０と通信を行い、ユーザ端末１０から端末操作履歴を受信し、ユーザ端末１０へユーザの嗜好情報を送信する。
【００６２】
嗜好分析部２２は、端末操作履歴に基づいて、ユーザの嗜好情報を分析する。
【００６３】
広告配信装置３０は、通信部３１と広告配信条件設定部３２とを備える。
【００６４】
通信部３１は、広告配信条件設定部３２が設定した配信条件に従って、複数のユーザ端末へ、複数の広告データを送信するチャンネルのリストを送信する。このように、通信部３１は、ジャンル別（例えば、レストラン情報、レジャー情報、車情報など）に複数の同報チャンネルを用意し、各チャンネルを使って、複数の広告データを同時に送信する。
【００６５】
又、通信部３１は、広告配信条件設定部３２が設定した配信条件に従って、複数のユーザ端末１０へ、複数の広告データを同時に配信する。
【００６６】
広告配信条件設定部３２は、広告を配信する配信条件を設定する。配信条件としては、例えば、配信するエリアや時間帯が挙げられる。
【００６７】
課金装置４０は、通信部４１と割引額算出部４２と課金部４３とを備える。
【００６８】
通信部４１は、ユーザ端末１０から広告データの利用状況を受信する。
【００６９】
割引額算出部４２は、広告データの利用状況に応じて割引額を算出する
課金部４３は、ユーザ端末の通信料から割引金額を減算する。
【００７０】
（広告配信方法）
次に、第２の実施形態に係る広告配信方法について、図６を用いて説明する。ステップＳ２０１〜２０５は、図３のステップＳ１０１〜１０５と同様であるので、ここでは説明を省略する。
【００７１】
ステップＳ２０６において、広告配信装置は、配信エリアや時間帯等の広告配信条件、及び配信リストを設定し、ステップＳ２０７において、広告配信条件に従って、複数のユーザ端末へリストを同時に配信する。
【００７２】
そして、ステップＳ２０８において、ユーザ端末は、嗜好情報に基づいて、同報チャンネルの受信設定を行う。
【００７３】
次に、ステップＳ２０９において、広告配信装置は、複数チャンネルによって広告データのジャンル別同報配信を行う。
【００７４】
一方、ステップＳ２１０において、ユーザ端末は、設定されたチャン得るのみを受信し、ステップＳ２１１において、受信した広告を表示する。
【００７５】
ステップＳ２１２〜２１５は、図３のステップＳ１０９〜１１２と同様であるので、ここでは説明を省略する。
【００７６】
（作用及び効果）
第２の実施形態に係る広告配信システム及び広告配信方法によると、広告配信装置が複数の広告データをジャンル別配信リスト及び広告データ本体を、不特定多数のユーザ端末に同時に送信するため、無線リソースを効率的に利用することができる。
【００７７】
又、蓄積されているユーザの嗜好情報と配信リストとをマッチングした後、受信する広告データを設定し、表示するため、事前の登録をすることなくユーザの嗜好に合った広告を表示することができる。
【００７８】
又、表示した広告データの利用状況に応じて、通信料を制御することができる。このように、広告の視聴や広告からの購買により、通信料を割り引く仕組みを取り入れることで、ユーザ端末へ広告を表示することのユーザに対するメリットを得ることができる。
【００７９】
＜第３の実施形態＞
第３の実施形態では、第１及び第２の実施形態に係る広告配信システム及び広告配信方法を用いたモバイル広告モデルについて説明する。
【００８０】
図７に、第１及び第２の実施形態に係る広告配信システムを適用した場合の仕組みを示す。広告主が広告配信の依頼を行うことにより、広告配信事業者（通信事業者でも構わない）は、広告配信装置を利用し、ユーザ端末へ広告データを配信し、エンドユーザが広告を閲覧する。一方、広告主は、広告配信枠を購入する際、広告料として、広告配信事業者へ金銭を支払う。エンドユーザは、広告によって商品やサービスを購入すると、広告主へ金銭を支払うこととなる。
【００８１】
そこで、本実施形態では、広告配信事業者がエンドユーザへ通信利用料を割引することにより、金銭をエンドユーザへ還元することができ、広告主、広告配信事業者、エンドユーザの三者にとって利益のある仕組みを構築することができる。即ち、エンドユーザは、通信利用料を割引され、広告主は商品やサービスの代金を受け取り、広告配信事業者は広告料を受け取ることができる。
【００８２】
＜その他の実施の形態＞
本発明は上記の実施形態によって記載したが、この開示の一部をなす論述及び図面はこの発明を限定するものであると理解すべきではない。この開示から当業者には様々な代替実施形態、実施例及び運用技術が明らかとなろう。
【００８３】
例えば、第１及び第２の実施形態では、マッチング装置２０、広告配信装置３０、課金装置４０をそれぞれ異なる装置として説明したが、これらの装置は、１つの装置で実現されてもよい。あるいは、これらの装置のうち、２つの装置を１つの装置で実現してもよい。
【００８４】
このように、本発明はここでは記載していない様々な実施形態等を含むことは勿論である。従って、本発明の技術的範囲は上記の説明から妥当な特許請求の範囲に係る発明特定事項によってのみ定められるものである。
【図面の簡単な説明】
【００８５】
【図１】第１の実施形態に係る広告配信システムの概念図である。
【図２】第１の実施形態に係る広告配信システムの構成ブロック図である。
【図３】第１の実施形態に係る広告配信方法を示すシーケンス図である。
【図４】第２の実施形態に係る広告配信システムの概念図である。
【図５】第２の実施形態に係る広告配信システムの構成ブロック図である。
【図６】第２の実施形態に係る広告配信方法を示すシーケンス図である。
【図７】第３の実施形態に係る広告配信モデルを説明するための図である。
【符号の説明】
【００８６】
１０…ユーザ端末
１１…通信部
１２…端末操作履歴蓄積部
１３…嗜好情報蓄積部
１４…選択表示部
１５…情報収集部
１６…受信設定部
１７…表示部
２０…マッチング装置
２１…通信部
２２…嗜好分析部
３０…広告配信装置
３１…通信部
３２…広告配信条件設定部
４０…課金装置
４１…通信部
４２…割引額算出部
４３…課金部
【図１】
2008076906.tif 000003
【図２】
2008076906.tif 000004
【図３】
2008076906.tif 000005
【図４】
2008076906.tif 000006
【図５】
2008076906.tif 000007
【図６】
2008076906.tif 000008
【図７】
2008076906.tif 000009